(57)【要約】【課題】比較的硬い被破砕物に対しても優れた破砕作用を発揮する破砕具を提供する。【解決手段】破砕具１０は、直方体状の破砕部１０ａと、破砕部１０ａの一面に突設された連結孔１０ｃ付きの連結部１０ｂと、備えている。チェーン２の先端部に係止されたＵ字状の連結具３の二つの先端部３ａの間に、連結部１０ｂを挟持するように配置し、一方の先端部３ａの連結孔３ｂから連結孔１０ｃを経由して他方の先端部３ａの連結孔３ｂへ係止ボルト４ａを挿通し、他方の先端部３ａから突出する係止ボルト４ａの先端部に係止ナット４ｂを螺着させることにより、チェーン２の先端部に破砕具１０が着脱可能に取り付けられる。複数のチェーン２の基端部がそれぞれ係止された回転軸をモータによって回転させると、複数のチェーン２が回転軸を中心にそれぞれ放射状に伸びた状態となって回転軸とともに回転し、投入された被破砕物を打撃、破砕する。【選択図】図１
2008018332.tif 000002
【特許請求の範囲】
【請求項１】
ケーシング内に配置された回転軸に基端部が係止されたワイヤまたはチェーンの先端部に取り付けて使用される破砕具であって、直方体状の破砕部と、前記ワイヤまたはチェーンに取り付けるため前記破砕部の一面に突設された連結手段と、を備えたことを特徴とする破砕具。
【請求項２】
ケーシング内に配置された回転軸に基端部が係止されたワイヤまたはチェーンの先端部に取り付けて使用される破砕具であって、板状の破砕部と、前記ワイヤまたはチェーンに取り付けるため前記破砕部の一面寄りの領域に設けられた連結手段と、を備えたことを特徴とする破砕具。
【請求項３】
ケーシング内に配置された回転軸に基端部が係止されたワイヤまたはチェーンの先端部に取り付けて使用される破砕具であって、複数の楔状破砕刃を一面に有する直方体形状の破砕部と、前記ワイヤまたはチェーンに取り付けるため前記一面の背面に突設された連結手段と、を備えたことを特徴とする破砕具。
【請求項４】
ケーシング内に配置された回転軸に基端部が係止されたワイヤまたはチェーンの先端部に取り付けて使用される破砕具であって、円柱状または多角柱状の破砕部と、前記ワイヤまたはチェーンに取り付けるため前記破砕部の軸心と交差する端面に突設された連結手段と、を備えたことを特徴とする破砕具。
【請求項５】
ケーシング内に配置された回転軸に基端部が係止されたワイヤまたはチェーンの先端部に取り付けて使用される破砕具であって、楔状に尖った切断刃を一部に有する平板形状の破砕部と、前記ワイヤまたはチェーンに取り付けるため破砕部の基端に突設された連結手段と、を備えたことを特徴とする破砕具。
【発明の詳細な説明】
【技術分野】
【０００１】
本発明は、生ゴミや産業廃棄物などの破砕処理装置に使用する破砕具に関する。
【背景技術】
【０００２】
生ゴミや産業廃棄物の破砕処理装置としては、従来、様々な方式が開発されているが、ケーシング内に配置された回転軸の外周に、先端部に錘が取り付けられた複数の線材の基端部を固定し、回転軸を回転させることによって放射状に伸びた状態で回転するこれらの錘付き線材で、ケーシング内に投入された生ゴミなどを打撃、破砕するものがある（例えば、特許文献１参照。）。
【０００３】
【特許文献１】特開２００１−１２１００９号公報
【発明の開示】
【発明が解決しようとする課題】
【０００４】
特許文献１記載の「回転式破袋分別装置」においては、線材の先端部に取り付けられる錘として、円錐台形状や三角平板形状のものが使用されている。これらの形状の錘は、厨芥生ゴミや回収食品などの比較的柔らかいものに対して優れた破砕作用を発揮するが、比較的硬い被破砕物に対しては十分な破砕作用が得られないことがある。
【０００５】
本発明が解決しようとする課題は、比較的硬い被破砕物に対しても優れた破砕作用を発揮する破砕具を提供することにある。
【課題を解決するための手段】
【０００６】
本発明の破砕具は、ケーシング内に配置された回転軸に基端部が係止されたワイヤまたはチェーンの先端部に取り付けて使用される破砕具であって、直方体状の破砕部と、前記ワイヤまたはチェーンに取り付けるため前記破砕部の一面に突設された連結手段と、を備えたことを特徴とする。
【０００７】
このような構成とすれば、直方体状の破砕部は、平面部、辺縁部および角部を有しているため、これらの部分のいずれかが被破砕物に衝突することにより、比較的硬い被破砕物に対しても優れた破砕作用を発揮する。
【０００８】
また、本発明の破砕具は、ケーシング内に配置された回転軸に基端部が係止されたワイヤまたはチェーンの先端部に取り付けて使用される破砕具であって、板状の破砕部と、前記ワイヤまたはチェーンに取り付けるため前記破砕部の一面寄りの領域に設けられた連結手段と、を備えたことを特徴とする。
【０００９】
このような構成とすれば、前述と同様、板状の破砕部は、平面部、辺縁部および角部を有しているため、これらの部分のいずれかが被破砕物に衝突することにより、比較的硬い被破砕物に対しても優れた破砕作用を発揮する。また、板状の破砕部は、長尺のフラットバーや板状体を直線状に切断して作ることができるため、製作も容易である。
【００１０】
次に、本発明の破砕具は、ケーシング内に配置された回転軸に基端部が係止されたワイヤまたはチェーンの先端部に取り付けて使用される破砕具であって、複数の楔状破砕刃を一面に有する直方体形状の破砕部と、前記ワイヤまたはチェーンに取り付けるため前記一面の背面に突設された連結手段と、を備えたことを特徴とする。
【００１１】
このような構成とすれば、直方体状の破砕部の一面に形成された楔状破砕刃が切断作用を発揮するため、硬脆物質は勿論、比較的柔らかい物質に対しても優れた破砕作用を得ることができる。
【００１２】
また、本発明の破砕具は、ケーシング内に配置された回転軸に基端部が係止されたワイヤまたはチェーンの先端部に取り付けて使用される破砕具であって、円柱状または多角柱状の破砕部と、前記ワイヤまたはチェーンに取り付けるため前記破砕部の軸心と交差する端面に突設された連結手段と、を備えたことを特徴とする。
【００１３】
このような構成とすれば、円柱状または多角柱状の破砕部の外周面は、ほぼ全面に渡って均等な破砕作用を有するため、被破砕物が破砕部の外周面のどの部分に衝突しても、ほぼ一定の破砕作用を得ることができる。このため、破砕作業を効率化することができる。
【００１４】
さらに、本発明の破砕具は、ケーシング内に配置された回転軸に基端部が係止されたワイヤまたはチェーンの先端部に取り付けて使用される破砕具であって、楔状に尖った切断刃を一部に有する平板形状の破砕部と、前記ワイヤまたはチェーンに取り付けるため破砕部の基端に突設された連結手段と、を備えたことを特徴とする。
【００１５】
このような構成とすれば、破砕部に設けられた楔状に尖った切断刃が被破砕物に対する強力な切断作用を発揮するため、衝撃のみでは破砕し難い被破砕物を効率良く破砕することができる。
【発明の効果】
【００１６】
本発明により、比較的硬い被破砕物に対しても優れた破砕作用を発揮する破砕具を提供することができる。
【発明を実施するための最良の形態】
【００１７】
以下、図面に基づいて本発明の実施の形態について説明する。図１は本発明の第１実施形態である破砕具を示す正面図、図２は図１に示す破砕具の側面図、図３は図１に示す破砕具を使用した破砕処理装置を示す平面図、図４は図３におけるＡ−Ａ線断面図、図５は図４のＢ−Ｂ線における断面図、図６は図４のＣ−Ｃ線における断面図である。
【００１８】
図１，図２に示すように、本実施形態の破砕具１０は、直方体状の破砕部１０ａと、破砕部１０ａの一面に突設された連結孔１０ｃ付きの連結部１０ｂと、備えている。チェーン２の先端部に係止されたＵ字状の連結具３の二つの先端部３ａの間に、連結部１０ｂを挟持するように配置し、一方の先端部３ａの連結孔３ｂから連結孔１０ｃを経由して他方の先端部３ａの連結孔３ｂへ係止ボルト４ａを挿通し、他方の先端部３ａから突出する係止ボルト４ａの先端部に係止ナット４ｂを螺着させることにより、チェーン２の先端に破砕具１０が着脱可能に取り付けられる。即ち、連結孔１０ｃを有する連結部１０ｂがチェーン２との連結手段として機能する。
【００１９】
破砕具１０は、例えば、図３，図４に示すような破砕処理装置１において使用することができる。破砕処理装置１は、モータＭによって回転駆動される回転軸６が円筒形のケーシング５内に水平に配置され、先端部に破砕具１０が取り付けられた複数のチェーン２の基端部がそれぞれ回転軸６の外周に係止されている。ケーシング５の一方の端面寄りの部分に被破砕物の投入口７が開設され、他方の端面寄りの部分に破砕物の排出口８が開設されている。また、先端に楔状に尖った刃部を有する平板状の破砕具１０ｘが複数のチェーン２ｘを介して排出口８寄りの領域の回転軸６の外周に係止されている。
【００２０】
一方、ケーシング５内における回転軸６方向の中央付近には、図５に示すような外周に複数の鋸刃状の切断刃１１ａを有する略円板形状の回転部材１１が取り付けられている。この回転部材１１は、その中心にネジ１４で固定された円環状の係止部材１２に回転軸６を貫通させ、同軸上に配置された円環状の固定部材１３を係止部材１２に嵌入させ、ネジ１５で締め付けることによって回転軸６に着脱可能に固定されている。また、ケーシング５内において平板状の破砕具１０ｘと破砕具１０との間の回転軸６には略円板形状の回転部材１７が取り付けられている。回転部材１７は、外周に複数の鋸刃状の切断刃１６ａを有する扇形の切断部材１６が円板１７ａの外周に沿って配置され、それぞれ複数のネジ１８で円板１７ａに着脱可能に固定されている。ネジ１８を緩めれば切断部材１６はそれぞれ円板１７ａの半径方向に移動可能であるため、被破砕物の状況に応じて、切断部材１６の切断刃１６ａとケーシング５の内周面との距離を調整することができる。なお、回転軸６に対する回転部材１７の固定機構は、回転軸６に対する回転部材１１の固定機構と同じである。
【００２１】
モータＭを作動させ回転軸６を回転させると、複数のチェーン２，２ｘが回転軸６を中心にそれぞれ放射状に伸びた状態となって、回転軸６とともに回転する。この状態において、被破砕物を投入口７へ投入すると、ケーシング５内において回転軸６とともに回転するチェーン２，２ｘおよび破砕具１０，１０ｘによって被破砕物が打撃、破砕され、細かく破砕された被破砕物が排出口８からケーシング５外へ排出される。この場合、ケーシング５の中央付近にある回転部材１１の外周とケーシング５の内周面との隙間を被破砕物が通過する際に切断刃１１ａによって細かく破砕される。また、破砕具１０と破砕具１０ｘとの間に配置された回転部材１７の外周とケーシング５の内周面との隙間を被破砕物が通過する際に切断部材１６の切断刃１６ａによってさらに細かく破砕される。
【００２２】
本実施形態においては、切断部材１６の切断刃１６ａとケーシング５の内周面との隙間を、回転部材１１の切断刃１１ａとケーシング５の内周面との隙間より小さく設定しているため、回転部材１１の切断刃１１ａによる破砕よりも細かく破砕することができる。切断刃１１ａ，１６ａは被破砕物をカットする機能に優れているため、合成樹脂製の袋などを速やかに細かく切断することができる。また、回転部材１１，１７はそれぞれの固定部材１３のネジ１５を緩めれば、係止部材１２とともに回転軸６に沿って移動可能であるため、使用条件に応じて、回転部材１１，１７の取付位置を変更することができる。なお、回転部材１１，１７の個数や配置形態などは特に限定しないので、３個以上の回転部材を配置したり、破砕具１０の付いたチェーン２と回転部材１１，１７とを回転軸６の軸方向に沿って交互配置したりすることもできる。
【００２３】
破砕具１０を構成する直方体状の破砕部１０ａは、平面部１０ｐ、辺縁部１０ｑおよび角部１０ｒを有しているため、ケーシング５内で破砕具１０が回転しているとき、これらの部分のいずれかが被破砕物に衝突することにより、比較的硬い被破砕物に対しても優れた破砕作用を発揮する。そのほか、例えば、廃紙類、廃プラスチックス、石膏ボード、生ゴミなどの様々な種類の被破砕物に対して優れた破砕作用を得ることができる。また、直方体状の破砕部１０ａを備えていることにより、破砕具１０は比較的大きな質量を確保することができるため、チェーン２が短くても大きな遠心力、打撃力を発生させることができる。このため、ケーシング５の内径が小さい場合でも優れた破砕機能を確保することができ、破砕処理装置１の小型化を図る上で有効である。
【００２４】
破砕処理装置１の回転軸６は一方向に回転するため、破砕具１０において被破砕物と連続的に衝突する部分が徐々に片減りすることがある。このような場合、図１，図２に示す係止ナット４ｂを緩めて係止ボルト４ａを抜き取り、連結具３に対して破砕具１０を１８０度回転させ、再度、係止ボルト４ａおよび係止ナット４ｂで取り付ければ、破砕具１０の片減りしていない部分を破砕に供することができる。このため、破砕具１０は比較的長期間に渡って破砕作業に使用することができる。なお、破砕具１０の用途は、回転軸６が水平方向に配置された破砕処理装置１に限定するものではないので、その他の方式の破砕処理装置においても使用することができる。
【００２５】
次に、図７〜図１１に基づいて、本発明の第２実施形態について説明する。図７は本発明の第２実施形態である破砕具を示す正面図、図８は図７に示す破砕具の側面図、図９は図７に示す破砕具を使用した破砕処理装置を示す垂直断面図、図１０は図９のＤ−Ｄ線における断面図、図１１は図９のＥ−Ｅ線における断面図である。なお、図７〜図１１において図１〜図６と同じ符号を付している部分は、第１実施形態の構成部分と同じ構造、機能を有する部分であるため、説明を省略する。
【００２６】
図７，図８に示すように、本実施形態の破砕具２０は、板状の破砕部２０ａと、チェーン２に取り付けるため破砕部２０ａの一面２０ｂ寄りの領域に連結手段として設けられた連結孔１０ｃと、を備えている。破砕具２０は、例えば、図９に示す破砕処理装置１ｘにおいて使用することができる。破砕処理装置１ｘは、モータ（図示せず）によって回転駆動される回転軸６ｘが円筒形のケーシング５ｘ内に垂直に配置され、先端部に破砕具２０が取り付けられた複数のチェーン２の基端部が回転軸６ｘの外周に係止されている。また、回転軸６ｘの下端寄りの外周には、平板状の破砕具２０ｘがそれぞれ複数のチェーン２ｘによって係止されている。
【００２７】
また、ケーシング５ｘ内における回転軸６ｘの中央付近には略円板状の回転部材２１が取り付けられ、回転軸６ｘの下端寄りの破砕具２０と破砕具２０ｘとの間には略円板状の回転部材２７が取り付けられている。回転部材２１，２７は円環状の係止部材２２とこれに嵌入する円環状の固定部材２３によって回転軸６ｘに固定されている。回転部材２１，２７の構造は同じであり、それぞれ円板２１ａ，２７ａの外周に沿って複数の扇形の切断部材２６が配置され、それぞれ複数のネジ２８で円板２１ａ，２７ａに着脱可能に固定されている。
【００２８】
ネジ２８を緩めれば切断部材２６はそれぞれ円板２１ａ，２７ａの半径方向に移動可能であるため、被破砕物の状況に応じて、切断部材２６の外周とケーシング５ｘの内周面との距離を調整することができる。本実施形態では、図１０，図１１に示すように、回転部材２１の切断部材２６とケーシング５ｘの内周面との隙間より、回転部材２７の切断部材２６とケーシング５ｘの内周面との隙間を狭く設定しているが、これに限定するものではない。なお、回転部材２１，２７の代わりに、図５，図６で示した回転部材１１，１７を破砕処理装置１ｘに使用することが可能であり、逆に、図４に示す破砕処理装置１において回転部材１１，１７の代わりに、回転部材２１，２７を使用することもできる。また、これらの回転部材１１，１７，２１，２７を適切な個数だけ組み合わせて使用することもできる。
【００２９】
一方、ケーシング５ｘの上端面寄りの部分には被破砕物の投入口（図示せず）が開設され、下端面寄りの部分に破砕物の排出口（図示せず）が開設されている。モータで回転軸６ｘを回転させると、複数のチェーン２，２ｘが回転軸６ｘを中心にそれぞれ放射状に伸びた状態となり、回転軸６ｘとともに回転する。この状態において、被破砕物を投入口へ投入すると、ケーシング５ｘ内において回転軸６ｘとともに回転するチェーン２，２ｘおよび破砕具２０，２０ｘによって被破砕物が打撃、破砕され、細かく破砕された破砕物が排出口からケーシング５ｘ外へ排出される。この場合、回転軸６ｘとともに回転する２つの回転部材２１，２７の切断部材２６とケーシング５ｘの内周面との隙間を被破砕物が通過する際に、それぞれの切断部材２６によって細かく破砕される。なお、切断部材２６とケーシング５ｘの内周面との隙間を小さくすれば被破砕物は細かく破砕される傾向があるが、前記隙間は被破砕物が通過可能な寸法を確保する必要がある。
【００３０】
破砕具２０を構成する板状の破砕部２０ａは、前述と同様、平面部２０ｐ、辺縁部２０ｑおよび角部２０ｒを有しているため、これらの部分のいずれかが被破砕物に衝突することにより、比較的硬い被破砕物に対しても優れた破砕作用を発揮する。また、板状の破砕部２０ａは、規格品であるフラットバーや板状体を直線状に切断して作ることができるため、製作は容易であり、低コストである。破砕具２０によって破砕できる被破砕物は多種多様であり、特に限定するものではないが、例えば、廃紙類、廃プラスチックス、石膏ボード、生ゴミなどの様々な種類の被破砕物に対して優れた破砕作用を得ることができる。なお、破砕具２０の用途は、回転軸６ｘが垂直方向に配置された破砕処理装置１ｘに限定するものではないので、その他の方式の破砕処理装置においても使用することができる。
【００３１】
次に、図１２，図１３に基づいて、本発明の第３，４実施形態について説明する。図１２は本発明の第３実施形態である破砕具を示す正面図、図１３は本発明の第４実施形態である破砕具を示す正面図である。
【００３２】
図１２示す破砕具２４は長方形の板状体であり、複数のチェーン２によって破砕処理装置の回転軸（図示せず）に取り付けられる。この場合、破砕具２４はその長手方向が前記回転軸の軸方向と平行をなすように取り付けられる。一方、図１３に示す破砕具２５は、破砕具２４と同様に前記回転軸の軸方向に長い板状体であるが、その外縁部に複数の鋸刃状の切断刃２５ａが形成されている。破砕具２４，２５の使い方は限定しないので、図４に示すように回転軸６が水平方向に配置された破砕処理装置１あるいは図９に示すように回転軸６ｘが垂直方向に配置された破砕処理装置１ｘなどにおいて広く使用することができる。また、１台の破砕処理装置に破砕具２４，２５の両方を使用することもできる。
【００３３】
次に、図１４，図１５に基づいて、本発明の第５実施形態について説明する。図１４は第５実施形態である破砕具３０を示す斜視図、図１５は図１４に示す破砕具の使用状態を示す図である。
【００３４】
図１４に示す破砕具３０は、複数の楔状破砕刃３１を一面に有する直方体形状の破砕部３０ａと、チェーンなどに取り付けるための連結手段として、楔状破砕刃３１のある一面の背面に突設された連結孔３０ｃ付きの連結部３０ｂと、を備えている。図１５に示すように、破砕具３０はローラチェーン３２を介して破砕処理装置（図示せず）の回転軸３３に取り付けて破砕作業に使用することができる。そのほか、図１，図２に示したＵ字状の連結具３および係止ボルト４ａ・係止ナット４ｂを用いて、連結孔３０ｃ付きの連結部３０ｂをチェーン２の先端部に取り付けて使用することもできる。
【００３５】
破砕具３０の場合、直方体状の破砕部３０ａの一面に形成された複数の楔状破砕刃３１が切断作用を有するため、硬脆物質は勿論、比較的柔らかいものに対しても優れた破砕作用を発揮する。破砕具３０による破砕作業に適した被破砕物としては、例えば、ＩＣチップ、ガラス基板、電子部品、電気回路部品などが挙げられる。破砕具３０の使い方は特に限定しないので、図４に示すように回転軸６が水平方向に配置された破砕処理装置１あるいは図９に示すように回転軸６ｘが垂直方向に配置された破砕処理装置１ｘのいずれにおいても使用することができる。なお、複数の楔状破砕刃３１は直方体状の破砕部３０ａと同一の材料で一体的に形成することもできるが、楔状破砕刃３１の部分を超硬合金で形成し、ろう接などの接合手段を用いて直方体状の破砕部３０ａに接合して形成することもできる。
【００３６】
次に、図１６に基づいて、本発明の第６実施形態について説明する。図１６は本発明の第６実施形態である破砕具を示す斜視図である。
【００３７】
図１６に示す破砕具４０は、円柱状の破砕部４０ａと、図１に示すチェーン２などに取り付けるための連結手段として破砕部４０ａの軸心Ｚと交差する端面４０ｂに突設された連結孔４０ｃ付きの連結部４０ｄと、を備えている。破砕具４０の場合、円柱状の破砕部４０ａの外周面４０ｅは、ほぼ全面に渡って均等な破砕作用を有するため、被破砕物が破砕部４０ａの外周面４０ｅのどの部分に衝突しても、ほぼ一定の破砕作用を得ることができる。このため、破砕作業を効率化することができる。
【００３８】
破砕具４０の破砕部４０ａはジルコニア系のセラミックスで形成されているため、被破砕物にガラスや籾殻などの硬脆物質が含まれる場合においても優れた破砕作用を得ることができ、破砕作業に伴う破砕部４０ａの摩耗も比較的少ない。なお、破砕部４０ａの材質はジルコニア系セラミックスに限定するものではないので、その他のセラミックスや金属材料あるいは合成樹脂材料などで形成することもできる。破砕部４０ａを合成樹脂材料で形成した場合、被破砕物との衝突時の火花発生を回避することができる。
【００３９】
なお、破砕具４０の使い方については特に限定しないので、図４に示すように回転軸６が水平方向に配置された破砕処理装置１あるいは図９に示すように回転軸６ｘが垂直方向に配置された破砕処理装置１ｘのいずれにおいても使用することができる。
【００４０】
次に、図１７に基づいて、本発明の第６実施形態について説明する。図１７は本発明の第６実施形態である破砕具を示す斜視図である。
【００４１】
図１７に示すように、破砕具５０は、楔状に尖った切断刃５１ａを一部に有する平板形状の破砕部５１と、チェーン２に取り付けるため破砕部５１の基端に突設された連結部５２と、を備えている。切断刃５１ａは、破砕部５１の基端側に設けられた直線刃５１ａｘと直線刃５１ａｘと連続するとともに破砕部５１の先端に向かって円弧状に湾曲した曲線刃５１ａｙとで形成されている。
【００４２】
破砕具５０の場合、破砕部５１に設けられた楔状に尖った切断刃５１ａが被破砕物に対する強力な切断作用を発揮するため、衝撃のみでは破砕し難い被破砕物を効率良く破砕することができる。また、切断刃５１ａは、直線刃５１ａｘと曲線刃５１ａｙとで形成されているため、図１７に示す矢線Ｒ方向に回転させれば、被破砕物は直線刃５１ａｘまたは曲線刃５１ａｙのいずれかに当接することとなるため、確実な切断作用を得ることができる。なお、破砕具５０の使い方は限定しないので、図４に示すように回転軸６が水平方向に配置された破砕処理装置１あるいは図９に示すように回転軸６ｘが垂直方向に配置された破砕処理装置１ｘなどにおいて広く使用することができる。
【産業上の利用可能性】
【００４３】
本発明の破砕具は、生ゴミや産業廃棄物などの破砕処理装置において広く利用することができる。
【図面の簡単な説明】
【００４４】
【図１】本発明の第１実施形態である破砕具を示す正面図である。
【図２】図１に示す破砕具の側面図である。
【図３】図１に示す破砕具を使用した破砕処理装置を示す平面図である。
【図４】図３のＡ−Ａ線における断面図である。
【図５】図４のＢ−Ｂ線における断面図である。
【図６】図４のＣ−Ｃ線における断面図である。
【図７】本発明の第２実施形態である破砕具を示す正面図である。
【図８】図７に示す破砕具の側面図である。
【図９】図７に示す破砕具を使用した破砕処理装置を示す垂直断面図である。
【図１０】図９のＤ−Ｄ線における断面図である。
【図１１】図９のＥ−Ｅ線における断面図である。
【図１２】本発明の第３実施形態である破砕具を示す正面図である。
【図１３】本発明の第４実施形態である破砕具を示す正面図である。
【図１４】本発明の第５実施形態である破砕具を示す斜視図である。
【図１５】図１４に示す破砕具の使用状態を示す図である。
【図１６】本発明の第６実施形態である破砕具を示す斜視図である。
【図１７】本発明の第７実施形態である破砕具を示す図である。
【符号の説明】
【００４５】
１，１ｘ  破砕処理装置
２  チェーン
３  連結具
３ａ  先端部
３ｂ，１０ｃ，３０ｃ，４０ｃ  連結孔
４ａ  係止ボルト
４ｂ  係止ナット
５，５ｘ  ケーシング
６，６ｘ  回転軸
７  投入口
８  排出口
１０，１０ｘ，２０，２０ｘ，３０，４０，５０  破砕具
１０ａ，２０ａ，３０ａ，４０ａ，５１  破砕部
１０ｂ，３０ｂ，４０ｄ  連結部
１０ｐ，２０ｐ  平面部
１０ｑ，２０ｑ  辺縁部
１０ｒ，２０ｒ  角部
１１，１７，２１，２７  回転部材
１１ａ，１６ａ，２５ａ  切断刃
１２，２２  係止部材
１３，２３  固定部材
１４，１５，１８，２８  ネジ
１６，２６  切断部材
１７ａ，２１ａ，２７ａ  円板
２０ｂ  一面
３１  楔状破砕刃
３２  ローラチェーン
４０ｂ  端面
４０ｅ  外周面
Ｚ  軸心
Ｍ  モータ
【図１】
2008018332.tif 000003
【図２】
2008018332.tif 000004
【図３】
2008018332.tif 000005
【図４】
2008018332.tif 000006
【図５】
2008018332.tif 000007
【図６】
2008018332.tif 000008
【図７】
2008018332.tif 000009
【図８】
2008018332.tif 000010
【図９】
2008018332.tif 000011
【図１０】
2008018332.tif 000012
【図１１】
2008018332.tif 000013
【図１２】
2008018332.tif 000014
【図１３】
2008018332.tif 000015
【図１４】
2008018332.tif 000016
【図１５】
2008018332.tif 000017
【図１６】
2008018332.tif 000018
【図１７】
2008018332.tif 000019